(57)【要約】  本発明はネットワークにおけるネットワークノードあるいは構成要素により移動装置の動作を制御するために従来のパラメータに新しい値を指定する方法および装置に関し、さらに詳細にはある測定可能なパラメータに閾値をマッピングし、移動装置によるある測定可能なパラメータの異なる解釈を可能にするためにマッピングの一部は変更されることなく維持され、マッピングの別の部分は変更されるように閾値を符号化し、特に移動通信グローバルシステム（ＧＳＭ）から第３世代パートナーシッププロジェクト（３ＧＰＰ）無線ネットワークへのセル再選択を移動装置により制御するための方法および装置に関する。
2007503745.tif 000002
【特許請求の範囲】
【請求項１】
複数の移動装置に閾値を送信することにより該複数の移動装置の動作を制御するためのネットワーク構成要素であって、該複数の移動装置は該閾値に対する異なる解釈を有し、ある測定可能なパラメータに該閾値をマッピングする手段を備えるネットワーク構成要素において、
前記ある測定可能なパラメータの前記異なる解釈を可能にするために前記マッピングの一部は変更されることなく維持され、前記マッピングの別の部分は変更されるように前記閾値を符号化する手段を有することを特徴とする、ネットワーク構成要素。
【請求項２】
前記符号化手段が前記閾値の分解能を低減し、閾値の範囲を増大させる、請求項１に記載のネットワーク構成要素。
【請求項３】
前記符号化手段が前記閾値の範囲をシフトする、請求項１に記載のネットワーク構成要素。
【請求項４】
前記符号化手段が前記閾値の分解能を維持し、前記閾値の範囲を増大させる、請求項１に記載のネットワーク構成要素。
【請求項５】
前記複数の移動装置がある無線アクセス技術（ＲＡＴ）から別の無線アクセス技術（ＲＡＴ）に移動する場合に、前記閾値がセル再選択手順において使用されるＦＤＤ＿Ｑｍｉｎパラメータである、請求項１に記載のネットワーク構成要素。
【請求項６】
移動通信グローバルシステム（ＧＳＭ）から汎用移動通信システム（ＵＭＴＳ）へのセル再選択を前記移動装置により制御する、請求項５に記載のネットワーク構成要素。
【請求項７】
３Ｇ汎用地上無線アクセスネットワーク（ＵＴＲＡＮ）の一部を構成する、請求項１に記載のネットワーク構成要素。
【請求項８】
無線ネットワークコントローラ（ＲＮＣ）の一部を構成する、請求項７に記載のネットワーク構成要素。
【請求項９】
ノードＢの一部を構成する、請求項７に記載のネットワーク構成要素。
【請求項１０】
複数の移動装置に閾値を送信することにより、ネットワーク構成要素により移動装置の動作を制御する方法であって、該複数の移動装置は該閾値に対して異なる解釈を有し、該ネットワーク構成要素は該閾値を測定可能なパラメータにマッピングする手段を有する、方法において、
前記測定可能なパラメータの異なる解釈を可能にするために、前記マッピングの一部は変更されることなく維持され、前記マッピングの別の部分は変更されるように前記閾値を符号化するステップを有することを特徴とする、方法。
【請求項１１】
前記閾値の分解能を低減するステップと、前記閾値の範囲を増大させるステップを有する、請求項１０に記載の方法。
【請求項１２】
前記閾値の範囲をシフトするステップを有する、請求項１０に記載の方法。
【請求項１３】
前記閾値の分解能を維持するステップと、前記閾値の範囲を増大させるステップと、を有する、請求項１０に記載の方法。
【請求項１４】
前記移動装置がある無線アクセス技術（ＲＡＴ）から別の無線アクセス技術（ＲＡＴ）に移動する場合に、前記閾値がセル再選択手順において使用されるＦＤＤ＿Ｑｍｉｎパラメータである、請求項１０に記載の方法。
【請求項１５】
移動通信グローバルシステム（ＧＳＭ）から汎用移動通信システム（ＵＭＴＳ）へのセル再選択を前記移動装置により制御するステップを含む、請求項１４に記載の方法。
【請求項１６】
３Ｇ汎用地上無線アクセスネットワーク（ＵＴＲＡＮ）の一部として前記ネットワーク構成要素を構成することを含む、請求項１０に記載の方法。
【請求項１７】
無線ネットワークコントローラ（ＲＮＣ）の一部として前記ネットワーク構成要素を構成することを含む、請求項１６に記載の方法。
【請求項１８】
ノードＢの一部として前記ネットワーク構成要素を構成することを含む、請求項１６に記載の方法。
【請求項１９】
プログラムコードを有するコンピュータプログラム製品であって、そのプログラムコードは、前記のコンピュータプログラムがネットワーク構成要素あるいは他の適するネットワークノードにおける処理手段において実行される場合、請求項１０による前記のステップを実行するためのものであり、機械読み取りの可能な媒体に格納される、コンピュータプログラム製品。
【請求項２０】
前記移動装置がある無線アクセス技術（ＲＡＴ）から別の無線アクセス技術（ＲＡＴ）に移動する場合に、前記閾値がセル再選択手順において使用されるＦＤＤ＿Ｑｍｉｎパラメータである、請求項１９に記載のネットワーク構成要素。
【請求項２１】
前記ある無線アクセス技術（ＲＡＴ）が移動通信グローバルシステム（ＧＳＭ）であり、前記他の無線アクセス技術（ＲＡＴ）が汎用移動通信システム（ＵＭＴＳ）である、請求項２０に記載のネットワーク構成要素。
【請求項２２】
複数の移動装置に閾値を送信することにより該移動装置の動作を制御するためのネットワーク構成要素であって、該複数の移動装置は該閾値に対する異なる解釈を有し、ある測定可能なパラメータに前記閾値をマッピングする手段を備えるネットワーク構成要素において、
前記ある測定可能なパラメータの異なる解釈を可能にするために前記のマッピングが変更されるように前記閾値を符号化する手段を有することを特徴とする、ネットワーク構成要素。
【請求項２３】
前記ある測定可能なパラメータの前記異なる解釈を可能にするために、前記マッピングの一部は変更されることなく維持され、前記マッピングの別の部分は変更される、請求項２２に記載のネットワーク構成要素。
【請求項２４】
前記ある測定可能なパラメータの前記異なる解釈を可能にするために、前記マッピングの全部分が変更される、請求項２２に記載のネットワーク構成要素。
【請求項２５】
１または複数の移動装置にパラメータ値を送信することによりそれらの移動装置の動作を制御するためのネットワーク構成要素であって、該１または複数の移動装置は前記パラメータ値に対する解釈を有するネットワーク構成要素において、
前記ネットワーク構成要素における第１のパラメータマッピングは、前記１または複数の移動装置における第１のパラメータ解釈と最初は同じであり、
移行期間において前記第１のパラメータマッピングは、前記ネットワーク構成要素において第２のパラメータマッピングに変更され、前記複数の移動装置において互いに独立に第２のパラメータ解釈に変更され、
前記第２のパラメータマッピングは、前記１または複数の移動装置における前記第１および第２の両パラメータ解釈から少なくとも１つの適合するパラメータ値を有し、
前記ネットワーク構成要素は、該ネットワーク構成要素において使用される前記第１あるいは第２のパラメータマッピングとは独立に、前記移行期間のために該第２のパラメータマッピングの前記少なくとも１つの適合するパラメータ値のみを使用することを実質的に回避することを特徴とする、ネットワーク構成要素。
【請求項２６】
前記１または複数の移動装置が前記第２のパラメータ解釈を有する移行期間の後に、前記第２のパラメータマッピングを使用する前記ネットワーク構成要素は、前記第２のパラメータマッピングの無制限な範囲を使用する、請求項２５に記載のネットワーク構成要素。
【請求項２７】
前記少なくとも１つの適合するパラメータ値が前記第１および前記第２の両パラメータマッピングと重なる１または複数の値を含む、請求項２５に記載のネットワーク構成要素。
【請求項２８】
前記パラメータ値が前記ネットワーク構成要素による前記１または複数の移動装置の動作の制御に関係する閾値を含む、請求項２５に記載のネットワーク構成要素。
【発明の詳細な説明】
【技術分野】
【０００１】
（関係出願との相互参照）
本願は、参照によりその全てが本願に組み込まれる、出願中の特許、２００３年８月２５日出願、米国特許仮出願第６０／４９７，９６５号「パラメータの再符号化方法（Parameter  Recoding  Method）」に関係し、その優先権を主張する。
【０００２】
本発明は、ネットワークにおけるネットワークノードあるいは構成要素により移動装置の動作を制御するために従来のパラメータに新しい値を指定する方法および装置に関し、さらに詳細にはある測定可能なパラメータに閾値をマッピングし、マッピングの一部は変更されることなく維持され、マッピングの別の部分は変更され、ある測定可能なパラメータの移動装置による異なる解釈を可能にするように閾値を符号化し、特に移動通信グローバルシステム（Global  System  for  Mobile  Communication、ＧＳＭ）から第３世代パートナーシッププロジェクト（Third  Generation  Partnership  Project、３ＧＰＰ）無線ネットワークへのセル再選択を移動装置により制御するための方法および装置に関する。
【背景技術】
【０００３】
３ＧＰＰの標準化過程で、移動通信グローバルシステム（ＧＳＭ）から３ＧＰＰへのハンドオーバおよびマルチモード運用など異なる無線アクセス技術（Radio  Access  Technologies、ＲＡＴ）間のハンドオーバに関係する「ＦＤＤ＿Ｑｍｉｎパラメータ」と呼ばれるパラメータに対して不十分な範囲が存在するという大きな問題が指摘された。
【０００４】
具体的には、ＧＳＭから汎用移動通信システム（Universal  Mobile  Telecommunications  System、ＵＭＴＳ）へのセル再選択を制御するアルゴリズムは以下の公式に基づいている。
【０００５】
ＣＰＩＣＨ  Ｅｃ／Ｎｏ  ＞  ＦＤＤ＿Ｑｍｉｎ
および
ＣＰＩＣＨ  ＲＳＣＰ  ＞  ＲＬＡ（ｓ＋ｎ）  ＋  ＦＤＤ＿Ｑｏｆｆ
ここで、
ＣＰＩＣＨ  Ｅｃ／Ｎｏは目的とする３Ｇ汎用地上無線アクセスネットワーク（Universal  Terestrial  Radio  Access  Network、ＵＴＲＡＮ）のセルのＣＰＩＣＨ（Common  Pilot  Channel、共用パイロットチャネル）のＥｃ／Ｎｏ（チップ当たりの受信エネルギー）、
ＦＤＤ＿ＱｍｉｎはＵＴＲＡＮ周波数分割多重（ＦＤＤ）のセル再選択のためのＥｃ／Ｎｏに対する最小閾値、
ＣＰＩＣＨ  ＲＳＣＰは受信信号符号電力であり、逆拡散および合成後の信号の平均、
ＲＬＡ（ｓ＋ｎ）はサービスを提供するおよび隣接するＧＳＭセルの受信レベルの平均、および
ＦＤＤ＿ＱｏｆｆはＧＳＭとＵＴＲＡＮセルの信号強度間の差分、
である。
【０００６】
参照によりその全てが本明細書に組み込まれる、３ＧＰＰ  ＴＳ  ０５．０８、３ＧＰＰ  ＴＳ０５．０８のサブ条項６．６．５、「第３世代パートナーシッププロジェクト；技術仕様化グループＧＳＭ／ＥＤＧＥ無線アクセスネットワーク（Technical  Specification  Group  ＧＳＭ／ＥＤＧＥ  Radio  Access  Network）；無線サブシステムリンク制御（Radio  subsystem  link  control）（１９９９年版）」の記述から前記の公式は導出される。
【０００７】
ＦＤＤ＿Ｑｍｉｎパラメータは典型的には１ｄＢステップで−２０〜−１３ｄＢの範囲を有し、３ビットを用いて符号化される（３ＧＰＰ  ＴＳ０５．０８および３ＧＰＰ  ＴＳ  ０４．１８、「第３世代パートナーシッププロジェクト；技術仕様化グループＧＳＭ／ＥＤＧＥ無線アクセスネットワーク；移動無線インタフェースレイヤ３仕様（Mobile  radio  interface  layer  ３  specification）；無線リソース制御プロトコル（Radio  Resource  Control  Protocol）（１９９９年版）」を参照）。いくつかの検討から、呼の維持に必要なＣＰＩＣＨ  Ｅｃ／Ｎｏの最小値はおおよそ−１６〜−１４．２ｄＢであることが提案されている。もしＦＤＤ＿Ｑｍｉｎパラメータが−１３ｄＢの最大値に設定されると、これはＦＤＤ＿Ｑｍｉｎ値と最小許容ＣＰＩＣＨ  Ｅｃ／Ｎｏ閾値との間のマージンを少ししか許容できない。セルが真に適切ではなく、信頼性のある、安定なサービスを提供することができない場合、ＵＭＴＳのセルに生じるＲＡＴ（無線アクセス技術）間のセル再選択になりうる。
【０００８】
図１はＣＰＩＣＨ  Ｅｃ／Ｎｏに対する走行試験結果を示し、遅いフェーディングが見られ、Ｅｃ／Ｎｏはしばしば呼を維持するための最小許容レベルよりも低くなる。従って、ＦＤＤ＿Ｑｍｉｎパラメータはさらに広い範囲を有する必要があり、これによって最小レベルとＲＡＴ間セル再選択の起動との間に適当なマージンをとることができるようになる。
【０００９】
比較すると、ＵＭＴＳからＧＳＭへのセル再選択を制御するための等価パラメータはＱｑｕａｌｍｉｎおよびＳｔｒａｔＳｅａｒｃｈである。Ｑｑｕａｌｍｉｎパラメータは−２４〜０ｄＢの範囲を有し、ＳｔｒａｔＳｅａｒｃｈパラメータは−３２〜＋２０ｄＢの範囲を有する。ＦＤＤ＿Ｑｍｉｎパラメータの制限は２Ｇと３Ｇのセル再選択間の安定性を達成することを困難にする。ＲＡＴ間再選択のピンポンを制御するために、ＧＥＲＡＮ（ＧＳＭ  Edge  Radio  Access  Network）からＵＴＲＡＮへのセル再選択等価値から少なくとも３ｄＢ離れたマージンをつけてＵＴＲＡＮからＧＥＲＡＮへのセル再選択に対する３Ｇ品質閾値を設定しなければならない。
【００１０】
この問題に対する効果的な解決策は知られていない。この観点において、従来技術においてこの問題を解決する必要がある。
【発明の開示】
【課題を解決するための手段】
【００１１】
本発明は前記の問題を解決する新しくかつ効果的な解決方法を提供する。
【００１２】
広義の意味において、本発明は、複数の移動装置に閾値を送信することにより複数の移動装置の動作を制御する方法および装置を提供し、複数の移動装置は閾値に対する異なる解釈を有し、ネットワーク構成要素はある測定可能なパラメータに閾値をマッピングする手段を有する。本発明において、装置は、測定可能なパラメータの異なる解釈を可能にするために、マッピングの一部が変更されることなく維持され、マッピングの一部が変更されるように閾値を符号化する手段をネットワーク構成要素が有することを特徴とする。代りの実施例では、マッピングの全部分が変更され、ある測定可能なパラメータの異なる解釈を可能にする。
【００１３】
本発明は前記の問題を解決する以下の項目を含むいくつかの異なる方法を提供する。
１．異なるダイナミックレンジ、例えば−１７〜−１０ｄＢをカバーするように範囲をシフトする。しかしながら、７ｄＢは依然として不十分な広さの範囲でありうる。
２．１ｄＢの分解能を維持し、より広い範囲を許容する。この解決策はフィールドのサイズの変更（例えば３から４ビットへ）、従って２つのシステム情報メッセージのＣＮＳ．１符号化への変更を意味し、このパラメータが放送され、従って恐らく移動加入者（ＭＳ）の実装に全体としてより大きな影響を及ぼす。この観点では、この解決策は可能性を有するが、いくつかの欠点を持ちうる。
３．ステップサイズを例えば２ｄＢのステップに変更して分解能を下げ、−２０〜−６ｄＢに範囲を増大させる。
【００１４】
本発明では、ネットワーク構成要素は、無線ネットワークコントローラ（ＲＮＣ）、ノードＢあるいはそれらのある組み合わせのいずれかの一部であるような、ＵＴＲＡＮの一部を形成する。
【００１５】
従来のパラメータに新しい値を指定する必要があるような状況において、本発明はアプリケーションを有する。新しいパラメータ値が使用される場合、従来のパラメータ値に基づく製品は、通常動作しないか性能が適切ではない。本発明によればこの問題を最小化するには、性能の劣化が考えられないように、最も使われそうな従来の値が効率的に再使用されるように、新しいパラメータ値が指定される。例えば、従来のパラメータ値が１から１０の範囲にあり、通常パラメータ値９又は１０のみが典型的に使用されるならば、その場合本発明によれば、９および１０に対する新しいパラメータ値は同じく維持され、１から８に対する値のみが変更される。従って、パラメータ値１から８の使用の確率は適度に小さいので、従来のあるいは伝統的な電話機或いは端末は通常新しい値で完全に良く動作する。（通信産業では伝統的な電話機または端末の問題は、２Ｇ電話機または端末が可能な範囲で新しい３Ｇネットワークにおいて動作しうることを継続する必要性と関わりがある。）
【００１６】
また、他の可能性は、より良いシステム性能を達成できるように、最も使われそうな従来の値を規定することである。新しいパラメータ値と比較して、最も使われそうな従来のパラメータ値に対する従来端末のための符号化は異なる。従来端末は従来のパラメータにより最良に動作し、同時に新しい端末に対してもよりよい性能が達成されうる。
【００１７】
パラメータ値のこの再符号化は同じパラメータに対して２度以上なされうることに注意されたい。移行期間は、最も使われそうな値を維持して、パラメータが変更されるように処理される。
【００１８】
本発明による一実施例では、１または複数の移動装置にパラメータ値を送信することによりそれらの動作を制御するために、ネットワーク構成要素が提供され、それら１または複数の移動装置はパラメータ値の解釈を行う。この実施例では、ネットワーク構成要素における第１のパラメータマッピングは、１または複数の移動装置における第１のパラメータの解釈と最初は同じであり、移行期間において、第１のパラメータマッピングはネットワーク構成要素において第２のパラメータマッピングに変更され、複数の移動装置において互いに独立に第２のパラメータの解釈に変更され、第２のパラメータマッピングは１または複数の移動装置において第１および第２両パラメータの解釈から適合する少なくとも１つのパラメータ値を有し、ネットワーク構成要素において使用される第１または第２のパラメータマッピングとは独立に、ネットワーク構成要素は移行期間において第２のパラメータマッピングの少なくとも１つの適合するパラメータ値のみを使用することを実質的に回避する。
【００１９】
本発明によれば、１または複数の移動装置が第２のパラメータ解釈を行う移行期間の後に、第２のパラメータマッピングを使用するネットワーク構成要素は、また第２のパラメータマッピングの無制限な範囲を使用することが出来る。更に、少なくとも１つの適合するパラメータ値は第１および第２両方のパラメータマッピングと重なる１または複数の値を含むことが出来る。更に、パラメータ値はネットワーク構成要素による１または複数の移動装置の動作の制御に関係する閾値を含むことが出来る。
【００２０】
本発明は移行期間において１または複数の移動装置の動作を制御し、移行期間を容易にするネットワーク構成要素に関係するが、システムあるいはネットワーク全体としては典型的には端末あるいは複数の移動装置およびネットワークにおいて常に２つのパラメータ解釈の使用を許容しないことに留意することが重要である。新しいパラメータが使用される場合、端末および関係するネットワーク構成要素は同時に同期して更新する必要はないが、各ノード、ネットワーク構成要素あるいは関係するものは新マッピングのための更新を必要とする。
【００２１】
移行期間において、ネットワーク構成要素は、複数の移動装置あるいは端末が新パラメータをサポートするか否かにかかわらずシステムの妥当な動作をもたらす、これらのパラメータ値を使用する。個々の端末あるいはネットワーク構成要素が更新される移行期間には、システムの動作に変更はない。移行期間の後に、従来のものと両立しない新たに設定されたパラメータが使用される。
【００２２】
図面は図１から図３を含み、図１から図３は縮尺して描かれたものではない。
【発明を実施するための最良の形態】
【００２３】
図２は、１０で全体が表示される無線ネットワークを一例として示し、無線ネットワークは複数の移動局あるいは移動装置１６、１８、２０と通信するための第１のＲＡＴ１２および第２のＲＡＴ１４を有する。第１および第２のＲＡＴ１２、１４はＧＳＭおよびＵＴＲＡＮなどの異なる無線アクセス技術として示されるが、本発明の範囲には他の異なるタイプのＲＡＴを含むものとする。本発明の範囲はＲＡＴのタイプあるいは種類に制限されるものではない。
【００２４】
図示するように、ＵＴＲＡＮ１４はネットワーク構成要素１４ａを有し、これは図３により詳細に示され、本発明の中心である。ＵＴＲＡＮ１４は、また周知の１または複数の他のネットワーク構成要素１４ｂを有すると考えられるが、これが発明全体の一部を構成することはなく、従ってここでは記述しない。
【００２５】
動作においては、図示するように、ＧＳＭからＵＴＲＡＮへなどの異なるＲＡＴ間のハンドオーバおよび／またはセル再選択などの種々の動作を実行するために移動装置１６、１８、２０に閾値を送信することにより、ネットワーク構成要素１４ａは移動装置１６、１８、２０の動作を制御する。本発明の範囲は、移動装置１６、１８、２０によって閾値が使用される特定の動作或いは機能に制限されるものではない。そのような動作および／または機能の期間において閾値を使用する場合、当然ながら移動装置１６、１８、２０はそれらの閾値に対して異なる解釈を有する。
【００２６】
図３は、ある測定可能なパラメータに閾値をマッピングする手段２２を有することを含め、ネットワーク構成要素１４ａをより詳細に示したものである。セル再選択の処理期間において、ある測定可能なパラメータは典型的には以前に説明した如く、目的とするＵＴＲＡＮセルのＣＰＩＣＨのＥｃ／Ｎｏの強度を測定することに関係するが、本発明の範囲は測定可能なパラメータのタイプあるいは種類に制限されるものではない。測定可能なパラメータの異なる解釈を可能にするために、マッピングの一部が変更されることなく維持され且つマッピングの一部が変更されるように閾値を符号化する手段２４を、ネットワーク構成要素１４ａはまた有する。
【００２７】
特に、標準化処理に関して上述した場合においては、閾値は全て、値が低すぎて信頼性良く呼を維持することができず、さらにＧＳＭと広帯域符号分割多元接続（ＷＣＤＭＡ）との間のピンポンの影響を回避できないＦｄｄ＿Ｑｍｉｎ値となることもある。例えば、−１３ｄＢのみが（および恐らく−１４ｄＢも）十分高い値であると考えられ、他の値は全て実際には使用されそうにない。従って、現在のパラメータ値は変更される必要がある。しかしながら、この変更は必要であるものの、−１３ｄＢの符号化を同じく維持し、移行期間において伝統的な電話機あるいは端末の問題を避けることが重要である。ネットワークが値−１３ｄＢを放送しているときは、新しいおよび伝統的な電話機あるいは端末はどちらも動作し、実際の加入者が実装を従来のものから新しいものへ移行させると新しい値の使用が開始されうる。このように、現場で移行の問題を生じることなく、新しい実装が新しい製品に対してなされうる。（電話機会社の中には、既に市場に出回っている電話機が多すぎるとして、この変更に反対しているところもあるくらいである。本発明により、この議論は最早成立しない。）
【００２８】
表１は、以下に示すように関連する３ビットバイナリ符号に関して新しい値に従来の値をマッピングする例を提供する。
【００２９】
【表１】
2007503745.tif 000003
【００３０】
本発明によれば、バイナリ符号１１０および１１１に対する新しい値および従来の値は同じ値を有し、変更されることなく維持されるマッピングの部分であり、一方バイナリ符号０００、００１、．．．、１０１に対する新しい値および従来の値は、測定可能なパラメータの異なる解釈を可能にするために変更されるマッピングの部分である。
【００３１】
要するに、電話機／ネットワークはシグナリング情報においてパラメータの要素値を指示する（例えば、図３に示すように、ネットワークは電話機にパラメータを放送する）。前述したことは、本発明が如何にして、何処で使用されうるかの一例に過ぎないことに注意することが重要である。従って、当然ながら以下に示す別の実施例を含め、この解決策は、他の類似の場合に対する一般的な解決策として理解されるべきである。
【００３２】
（マッピング手段２２および符号化手段２４）
図３において、マッピング手段２２および符号化手段２４はハードウエア、ソフトウエアあるいはその組み合わせを用いて実施されるとよい。ソフトウエアによる典型的な実施では、手段２２および２４はマイクロプロセッサベースのアーキテクチャであり、マイクロプロセッサ、ランダムアクセスメモリ（ＲＡＭ）、読み出し専用メモリ（ＲＯＭ）及び入力／出力装置および制御機器、以上のものを結合する制御バス、データバスおよびアドレスバスを有する。当業者はこのようなマイクロプロセッサベースの実装をプログラムし、不必要な実験をしなくとも本明細書に記述する機能を実行させることが出来よう。本発明の範囲はマッピング手段２２および符号化手段２４の特定の実施に制限されるものではない。
【００３３】
（移動局あるいは装置１６、１８、２０）
移動局あるいは装置１６、１８、２０は、当該技術において公知の携帯電話機、端末、局、装置あるいは他のユーザ機器の形式であり得る。動作においては、移動局あるいは装置１６、１８、２０はＲＡＴ１２および１４を介して交信して、アプリケーションノード（図示せず）との送受信などをする。移動局あるいは装置１６、１８、２０はハンドオーバ、セル再選択および／または第１のＲＡＴ１２から第２のＲＡＴ１４へ移動するための他の適したモジュールを含む。本発明の範囲は、現在知られているあるいは後に将来開発される特定の携帯電話機あるいは端末に制限されるものでもなく、第１のＲＡＴ１２から第２のＲＡＴ１４への移動時、あるいはその逆の移動時に含まれる機能に制限されるものでもない。
【００３４】
（他のネットワーク構成要素１４ｂ）
他のネットワーク構成要素１４ｂは、技術的に全て公知であり、本発明の一部を形成しないが、これらは、本明細書では説明しないＵＴＲＡＮの他の部分あるいは他の適するネットワークのほか、コアネットワークおよび他の部分、モジュールおよびその構成要素を含む。
【００３５】
（コンピュータプログラムおよび製品）
本発明は、またネットワーク構成要素１４ａなどにおける処理手段において作動するコンピュータプログラムにより方法のステップを実施することを包含するほか、プログラムコードを有するコンピュータプログラム製品を含む。このプログラムコードは、コンピュータプログラムが適切な処理手段において実行されるときに、本明細書に示したステップを実行するためのもので、機械読み取りの可能な媒体に格納される。
【００３６】
（代替実施例）
代替実施例では、最も使われそうな従来の値でも決して再使用されず、このため、代わりの値が指定され、最も使われそうな従来の値よりも良いことがありうる。例えば、システム試験に基づいて、新規パラメータ値がより正確に規定され、最良のシステム性能を与えることが出来る。この場合、例えば−１１ｄＢおよび−１２ｄＢは−１３ｄＢより良い値である可能性があり、その場合新しい符号化は以下の表２に示されるようなものでありうる。
【００３７】
【表２】
2007503745.tif 000004
【００３８】
（発明の範囲）
本発明の範囲はネットワークアーキテクチャ、ノード、ユーザ機器、携帯端末、電話機あるいは装置の特定の種類に制限されるものではなく、ラップトップあるいはノートブックコンピュータを含む多数の異なる携帯端末あるいは装置が考えられ、これらは本明細書に記載する本発明の基本的特徴を含むことが出来る。
【００３９】
従って、本発明は構成の特徴、構成要素の組み合わせおよび各部の配置を含み、これらは以下に示す構成において例示される。
【００４０】
従って、以上に示されたおよびこれまでの説明から明らかにされた目的は効果的に達成されることが分かり、本発明の範囲から逸脱することなく上記の構成において、ある変更がなされうるので、上記の説明に含まれ、あるいは添付の図面に示される事項は全て例示的であって、制限を意味するものではないものとする。
【図面の簡単な説明】
【００４１】
【図１】ＣＰＩＣＨ  Ｅｃ／Ｎｏの走行試験結果の時間に関するグラフを示す図である。
【図２】ネットワークにおいて本発明に従い協働する異なる無線アクセス技術（ＲＡＴ）および複数の移動装置を有するネットワークを示す図である。
【図３】図２のネットワーク構成要素のより詳細なブロック図を示す図である。
【図１】
2007503745.tif 000005
【図２】
2007503745.tif 000006
【図３】
2007503745.tif 000007
【国際調査報告】
2007503745.tif 000008